(57)【要約】【課題】エレベータのピット状況確認システムにおいて、作業員の確認作業の手間を省いてピット内の環境を一定レベルに保つことを可能とすることである。【解決手段】ピット状況確認システム２０は、昇降路１２下部のピット１０内の予め定められた領域を所定の保守判定時間間隔で撮像する撮像部２２と、撮像部２２に撮像された画像を複数のマス目に分割し、各マス目の輝度を白レベルと黒レベルの二値に判定する判定部２４と、判定部２４によって判定された二値と以前に判定された二値とをマス目ごとに比較して、白レベルから黒レベル又は黒レベルから白レベルへ変化したマス目数が所定の閾値を超えるときに保守が必要であることを示す保守信号を出力する比較出力部２６と、を備える。【選択図】図１
2015151207.tif 000002
【特許請求の範囲】
【請求項１】
昇降路下部のピット内の予め定められた領域を所定の保守判定時間間隔で撮像する撮像部と、
前記撮像部に撮像された画像を複数のマス目に分割し、前記各マス目の輝度を白レベルと黒レベルの二値に判定する判定部と、
前記判定部によって判定された二値と以前に判定された二値とをマス目ごとに比較して、前記白レベルから前記黒レベル又は前記黒レベルから前記白レベルへ変化したマス目数が所定の閾値を超えるときに保守が必要であることを示す保守信号を出力する比較出力部と、
を備えることを特徴とするエレベータのピット状況確認システム。
【請求項２】
請求項１に記載のエレベータのピット状況確認システムにおいて、
前記比較出力部は、前記判定部によって判定された二値と、初期段階で判定された二値とをマス目ごとに比較することを特徴とするエレベータのピット状況確認システム。
【請求項３】
請求項１に記載のエレベータのピット状況確認システムにおいて、
前記比較出力部は、前記判定部によって判定された二値と、前回の保守の終了時に判定された二値とをマス目ごとに比較することを特徴とするエレベータのピット状況確認システム。
【発明の詳細な説明】
【技術分野】
【０００１】
本発明は、エレベータのピット状況確認システムに関する。
【背景技術】
【０００２】
エレベータは、定期的に保守点検される。保守点検の一環として、昇降路の下部であるピット内の環境を一定レベルに保つ必要がある。
【０００３】
本発明に関連する技術として、例えば、特許文献１には、乗りかご内を撮像するカメラによって撮像された撮像データを処理することによって、乗りかご内の汚れ等を検知するエレベータ監視装置が開示されている。
【先行技術文献】
【特許文献】
【０００４】
【特許文献１】特開２０１１−６８４４０号公報
【発明の概要】
【発明が解決しようとする課題】
【０００５】
特許文献１のエレベータ監視装置は、乗りかご内に設けられた監視カメラを用いて、乗りかご内を常時監視している。これに対し、一般的にピット内には監視カメラが設けられておらず、ピット内の環境を一定レベルに保つには作業員が目視で確認する必要がある。しかし、作業員がピット内に入るには、乗りかごを最下階の位置以外に移動させ、最下階の乗場からピット内に入る必要があって監視の負担が大きいため、監視する負担の軽減が望まれる。
【０００６】
本発明の目的は、作業員の確認作業の手間を省いてピット内の環境を一定レベルに保つことを可能とするエレベータのピット状況確認システムを提供することである。
【課題を解決するための手段】
【０００７】
本発明に係るエレベータのピット状況確認システムは、昇降路下部のピット内の予め定められた領域を所定の保守判定時間間隔で撮像する撮像部と、前記撮像部に撮像された画像を複数のマス目に分割し、前記各マス目の輝度を白レベルと黒レベルの二値に判定する判定部と、前記判定部によって判定された二値と以前に判定された二値とをマス目ごとに比較して、前記白レベルから前記黒レベル又は前記黒レベルから前記白レベルへ変化したマス目数が所定の閾値を超えるときに保守が必要であることを示す保守信号を出力する比較出力部と、を備えることを特徴とする。
【０００８】
また、本発明に係るエレベータのピット状況確認システムにおいて、前記比較出力部は、前記判定部によって判定された二値と、初期段階で判定された二値とをマス目ごとに比較することが好ましい。
【０００９】
また、本発明に係るエレベータのピット状況確認システムにおいて、前記比較出力部は、前記判定部によって判定された二値と、前回の保守の終了時に判定された二値とをマス目ごとに比較することが好ましい。
【発明の効果】
【００１０】
上記構成により、所定の保守判定時間間隔で二値の変化を比較し、変化したマス目数が所定の閾値を超えた場合に保守信号が出力される。これにより、監視する負担を減らしつつ、必要がある場合にのみ保守することができるため、保守作業効率が向上する。
【図面の簡単な説明】
【００１１】
【図１】本発明に係る実施形態のピット状況確認システムを示す図である。
【図２】本発明に係る実施形態のピット状況確認システムの変形例を示す図である。
【発明を実施するための形態】
【００１２】
以下に図面を用いて本発明に係る実施の形態につき、詳細に説明する。また、以下では、全ての図面において対応する要素には同一の符号を付し、重複する説明を省略する。
【００１３】
図１は、ピット状況確認システム２０を示す図である。ピット状況確認システム２０は、エレベータ８のピット１０内の環境を一定レベルに保つためにピット１０内を監視するシステムである。
【００１４】
エレベータ８は、建物を上下に貫通する昇降路１２内を昇降する乗りかご１４を備える。昇降路１２の下部には、ピット１０と呼ばれる空間領域が形成され、図示しない巻上機や制御盤等が設置される。
【００１５】
ピット状況確認システム２０は、ピット１０内の確認領域を撮像する撮像部２２と、撮像部２２に撮像された画像の輝度を白レベルと黒レベルの二値に判定する判定部２４とを備える。ピット状況確認システム２０は、判定部２４の判定結果に基づいてピット１０内の保守が必要と判断したときに保守信号を出力する比較出力部２６とを備える。
【００１６】
領域設定部２８は、四角形の形状を有する平板部３０と、平板部３０の四隅に設置される４つの半球部３２とを備える。この４つの半球部３２に囲まれた範囲が撮像部２２によって撮像される「確認領域」となる。
【００１７】
平板部３０は、適度な強度を有する材料で構成され、汚れが目立ちやすくなるような色が表面に塗布されていることが好ましい。半球部３２は、光を反射する部材で構成され、例えば、鏡を構成する材料が蒸着されていることが好ましい。
【００１８】
撮像部２２は、領域設定部２８により設定される確認領域を撮像するように、昇降路１２のピット１０の壁面に取り付けられるデジタルビデオカメラである。撮像部２２は、昇降路１２下部のピット１０内の確認領域を所定の保守判定時間間隔で撮像する。撮像部２２によって撮像されたデータは、判定部２４に伝送される。所定の保守判定時間間隔とは、例えば、２週間とする。通常の保守を行う期間は、保守判定時間間隔よりも長く、例えば、月に１回である。
【００１９】
撮像部２２は、確認領域を撮像する際に確認領域の周囲を照らすフラッシュ機能を有することが好ましい。このフラッシュ機能は、撮像部２２とは別部材で構成してピット１０の壁面に取り付けてもよい。
【００２０】
判定部２４は、撮像部２２に撮像された画像を複数のマス目に分割する。例えば、撮像部２２に撮像された画像を６行×６列のマス目に分割する。判定部２４は、各マス目の輝度を白レベルと黒レベルの二値に判定する。例えば、所定の輝度値を、白黒レベルを判定する閾値とし、輝度値が閾値以上なら白レベルと判定し、輝度値が閾値未満なら黒レベルと判定する。
【００２１】
比較出力部２６は、判定部２４によって判定された二値と以前に判定された二値とをマス目ごとに比較する。具体的には、左上欄を１−１とし、右下欄６−６とする行列番号を与えたときに、初期段階では、「２−２」「３−２」「３−３」が黒レベルであり、今回は、「２−２」「３−２」「４−２」「３−３」「２−４」「３−４」「４−４」「５−４」「３−５」「４−５」が黒レベルである。したがって、白レベルから黒レベルへ変化した数は７個であり、黒レベルから白レベルへ変化した数は１個であるため、レベルが変化した数は合計８個であることが分かる。
【００２２】
比較出力部２６は、白レベルから黒レベル又は黒レベルから白レベルへ変化したマス目数が所定の閾値を超えるときに保守が必要であることを示す保守信号３６を出力する。例えば、６行×６列の合計３６個のマス目のうち、変化したマス目数が閾値である１０個を超えたときに保守センタ５０に対して保守信号を出力する。ここで、以前に判定された二値とは、初期段階で判定された二値を意味するが、前回の保守の終了時に判定された二値であってもよい。
【００２３】
続いて、上記構成のピット状況確認システム２０の作用について説明する。２週間に一度、撮像部２２によって領域設定部２８により設定される確認領域が撮像され、撮像された画像が６行×６列のマス目に分割され、初期段階で判定された二値とマス目毎に比較される。
【００２４】
このとき、黒レベルから白レベルへの変化又は白レベルから黒レベルへの変化したマス目数が閾値である１０個を超えていない場合は、保守信号３６が出力されないが、１０個を超えた場合には保守センタ５０に対して保守信号３６が出力される。図１に示される例では、合計８個であるため、保守信号３６は出力されない。
【００２５】
保守センタ５０は、保守信号３６が送られてきたときに、作業員をエレベータ８が設置された建物に出動させて、ピット１０内の環境が一定レベルとなるように保守させる。
【００２６】
上記のように、ピット状況確認システム２０によれば、２週間で１回のペースでピット１０内の環境が一定レベルに保たれているかどうかが確認される。したがって、ピット１０内の環境を一定レベルに保つには作業員が目視で確認する必要がなく、作業員の手間を省けるとともに、保守作業効率が向上する。
【００２７】
また、上記ピット状況確認システム２０では、撮像部２２は、昇降路１２のピット１０を構成する壁面に取り付けられるものとして説明したが、その他の場所であってもよい。例えば、図２に示されるように、乗りかご１４の底面部に取り付けられてもよい。このとき、撮像部２２が撮像するタイミングは、乗りかご１４が最下階に位置するに設定する必要がある。
【符号の説明】
【００２８】
８  エレベータ、１０  ピット、１２  昇降路、１４  乗りかご、２０  ピット状況確認システム、２２  撮像部、２４  判定部、２６  比較出力部、２８  領域設定部、３０  平板部、３２  半球部、３６  保守信号、５０  保守センタ。
【図１】
2015151207.tif 000003
【図２】
2015151207.tif 000004